(57)【特許請求の範囲】
【請求項１】
ジグザグ状に折り曲げられたフィルタ材と、該フィルタ材が取り替え可能に装着される枠体と、を有するフィルタであって、
該フィルタ材の折り曲げ方向における両端部が剛性を有する部材で接着補強され、該フィルタ材の折り曲げ方向における両端部と中央部に溝部を有し、かつ該フィルタ材の折り曲げ方向と直交する方向における両端部がシール部材で接着シールされており、
該枠体の両端部と中央部に保持部材を有し、
該フィルタ材の溝部内に該枠体の保持部材が嵌合されるよう該フィルタ材が該枠体に装着され、
前記フィルタ材の周囲の下端縁に断面Ｌ字形のパッキンが配設され、このパッキンを介してフィルタ材が気密的に枠体に圧接されていることを特徴とするフィルタ。
【請求項２】
前記フィルタ材が前記枠体に装着された際に、該フィルタ材の気体流入側面を支持する支持部材が該枠体に取り付けられて前記保持部材との間でフィルタ材が挟持されている請求項１記載のフィルタ。
【発明の詳細な説明】
【０００１】
【産業上の利用分野】
本発明は、ジグザグ状に折り曲げられた平面視矩形状のフィルタ材と該フィルタ材が取り替え可能に装着される枠体とを有するフィルタに関し、枠体と、その枠体に交換可能に装着されるフィルタ材と、を有するフィルタに関する。
【０００２】
【従来の技術】
従来のフィルタはフィルタ材と該フィルタ材を装着する枠体とが接着剤などで一体化されていたので、フィルタ材の交換が必要になったときにはフィルタ材のみを取り外すことはできず、枠体を含むフィルタを換気口から取り外しており、コストが高くなるといった欠点があった。
【０００３】
これに対し、フィルタ材を枠体に留め具で固定して、必要に応じてフィルタ材のみを交換できるようにしたフィルタが提案されている。
【０００４】
ところが、このようなフィルタでは、風圧によってフィルタ材が振動するような場合ではフィルタ材が枠体からはずれ易いという欠点があり、しかも良好なシール性を保つためには多数の留め具を用いて取り付けることが必要でフィルタ材の枠体への取り付け、取り外しが面倒であるといった欠点もあった。
【０００５】
【発明が解決しようとする課題】
本発明は、上記欠点を解消するためになされたものであり、フィルタ材のみを枠体から取り外して交換でき、従って枠体を取り替える必要がなく、この種のフィルタを備えた空調装置の維持が比較的安価に行えるフィルタを提供することを目的とする。
【０００６】
本発明の他の目的は、フィルタ材を確実に枠体に装着することができて振動等によって脱落することがなく、また良好なシール性を保ちながら取り付け取り外しが容易に行えるフィルタを提供することにある。
【０００７】
【課題を解決するための手段】
本発明のフィルタは、ジグザグ状に折り曲げられたフィルタ材と、該フィルタ材が取り替え可能に装着される枠体と、を有するフィルタであって、該フィルタ材の折り曲げ方向における両端部が剛性を有する部材で接着補強され、該フィルタ材の折り曲げ方向における両端部と中央部に溝部を有し、かつ該フィルタ材の折り曲げ方向と直交する方向における両端部がシール部材で接着シールされており、該枠体の両端部と中央部に保持部材を有し、該フィルタ材の溝部内に該枠体の保持部材が嵌合されるよう該フィルタ材が該枠体に装着され、前記フィルタ材の周囲の下端縁に断面Ｌ字形のパッキンが配設され、このパッキンを介してフィルタ材が気密的に枠体に圧接されていることを特徴とし、そのことにより上記目的が達成される。
【０００８】
上記フィルタ材が枠体に装着された際に、該フィルタ材の気体流入側面を支持する支持部材が該枠体に取り付けられて前記保持部材との間でフィルタ材が挟持されているのが好ましい。
【０００９】
以下、本発明を図面に基づいて詳細に説明する。
【００１０】
図１に示すように、本発明のフィルタは、ジグザグ状に折り曲げられた平面視矩形状のフィルタ材１と、該フィルタ材１が取り替え可能に装着される枠体２と、を有する。
【００１１】
図２および図３に示すように、フィルタ材１は、通気性を有、かつそのジグザグ形状を保形可能な材料で形成されている。例えば、不織布、紙などを使用することができ、特に合成樹脂繊維よりなる通気性シートに補強用繊維シートを積層したものを使用することができる。フィルタ材１の折り曲げ形状は多数のヒダができるように折り曲げるのがよく、その場合多数の折り曲げられた細長い帯片１２が連続した状態となる。
【００１２】
該フィルタ材１の折り曲げ方向における両端部または両端部と中央部において、気体流出側には溝部１１が形成されている。この溝部１１の幅寸法は、保持部材が溝部１１内へ挿入嵌合されるようその保持部材の幅寸法（もしくは厚み寸法）に応じて設定することができる。フィルタ材１が比較的大寸法である場合には、フィルタ材１の両端部以外に中央部にも１つもしくは２以上の溝部１１を設けるのがよく、フィルタ材１が比較的小寸法である場合には、フィルタ材１の両端部にのみ溝部１１を設けるようにしてもよい。この場合、枠体２には両端部にのみ保持部材が設けられる。
【００１３】
フィルタ材１は上記したように平面視で矩形状に形成されており、その折り曲げ方向における両端部には剛性を有する部材１３、例えば、紙材などが接着されていて補強されており、該フィルタ材１の折り曲げ方向と直交する方向（該帯片１２の長手方向）における両端部はフィルムなどで形成される可撓性のシール部材１４が接着シールされている。このように、フィルタ材１の折り曲げ方向における両端部が剛性を有する部材１３で接着補強されていることにより、フィルタ材１を保形してその取り扱いが容易となっている。
【００１４】
また、フィルタ材１の端部とシール部材１４との接着においては、シール部材１４が可撓性を有しているため、フィルタ材１の各帯片１２の端部間に段差を生じているような場合でも、支障なく全ての帯片１２の端部に気密性を保持した状態でシール部材１４を接着させることができ、この端部においてフィルタ材１の気体流入側の気体がフィルタ材１の気体流出側へまわることをこのシール部材１４で確実に防止することができる。
【００１５】
一方、枠体２は、図４および図５に示すように、金属板などの枠片２０ａ、２０ｂを四角枠状に組んで正方形の枠状に形成されている。対向する二つの枠片２０ａ、２０ａは断面がコ字状の側片２５の両端部より第１リブ２１と第２リブ２２とを内側へ折曲して形成されており、第１リブ２１が第２リブ２２の内側に位置して、第２リブと側片５との間に係合部２９が形成されている。この第２リブ２２によって保持部材の一つが形成される。該第２リブ２２は図４に示すように、枠片２０ａの長手寸法よりやや小寸法に形成され、第２リブ２２の端部と枠片２０ｂの内面との間には間隙部３０が形成されている。また第２リブ２２の両端部にはテーパ２２ａが形成されている。
【００１６】
他方の対向する枠片２０ｂ、２０ｂは断面コ字状の側片３５の一端部より第３リブ２３を折曲して形成されている。この第３リブ２３の適所には後述する支持部材４の係合部４０を挿入するための係合凹所２６が設けられている。
【００１７】
別の保持部材２７は、上記対向する枠片２０ｂ、２０ｂ間に架設されていて、保持部材２７の両端部の下端が該対向する枠片２０ｂ、２０ｂに固定されている。保持部材２７の両端部の上縁にはテーパ２７ａが形成され、該保持部材２７の両端部と該枠片２０ｂ、２０ｂの内面との間には間隙部３２が形成されている。
【００１８】
フィルタ材１が枠体２に装着された際に、該フィルタ材１の気体流入側面（図１のＡ面側）を支持する支持部材４は、図６に示すように金属棒などで平面視く字状に折曲形成され、その中央部および両端部には係合部４０ａ、４０ｂ、４０ｂが形成されている。
【００１９】
以上のように構成されるフィルタ材１を枠体２に装着するには以下のようにして行われる。
【００２０】
図１に示すように、フィルタ材１の各溝部１１内に枠体２の保持部材２２、２７が嵌合されるように該フィルタ材１を該枠体２に装着する。ここで、保持部材２２、２７の両端部には上記したようにテーパ２２ａ、２７ａが形成されていることにより、保持部材２２および２７を容易にフィルタ材１の溝部１１内へ挿入することができる。また、保持部材２２、２７と枠片２０ｂの内面との間には間隙部３０、３２が形成されているためにこの間隙部３０、３２内にフィルタ材１のシール部材１４が挿入されることになる。なお、フィルタ材１を枠体２内へ装着するには、図３に示すように、フィルタ材１の周囲の下端縁に断面Ｌ字形のパッキン１５（例えば、スポンジ）を配設して、このパッキン１５を介して気密的にフィルタ材１を枠体２に圧接するのがよい。
【００２１】
このようにしてフィルタ材１を枠体２上に載置した後、支持部材４の係合部４０ａ、４０ｂを枠片２０ｂの係合凹所２６内へ挿入係合させることで支持部材４を枠体２に取り付ける。支持部材４を枠体２に取り付けるには、二つの支持部材４、４を使用して、一方の支持部材４の両端部の係合部４０ｂ、４０ｂを一方の枠片２０ｂの両端部に形成されている係合凹所２６、２６内へ係合させ、中央部の係合部４０ａを他方の枠片２０ｂの中央部に形成されている係合凹所２６内へ係合させ、他方の支持部材４も同様にして枠体２に取り付けることで、タスキ状に支持部材４を枠体２に取り付けるのがよい。この場合、支持部材４はフィルタ材１の帯片１２の長手方向と交差する状態となるので、フィルタ材１は支持部材４で押さえ付けられてフィルタ材１は保持部材２７と支持部材４との間で挟持された状態となる。
【００２２】
その後、このようにして組み立てられたフィルタは、そのフィルタ材１側が気体流入側となるように、通常、建物のダクトの換気口部分へ取り付けられ、フィルタ材１で空気が濾過される。フィルタ材１を交換するにあたっては、支持部材４の係合部４０を枠片２０ｂの係合凹所２６から外すことで支持部材４を枠体２から取り外せば、簡単にフィルタ材１を枠体２から取り外すことができる。
【００２３】
なお、小型のフィルタ（例えば、３０ｃｍ×３０ｃｍのフィルタ）では、上記したように枠体２の中央部に保持部材２７を設ける必要はなく、かつフィルタ材１の中央部に溝部１１を設ける必要はない。
【００２４】
【作用】
フィルタ材の溝部内に枠体の保持部材を嵌合させてこのフィルタ材を枠体に装着することにより、確実にかつシール性良くフィルタ材を枠体に取り付けることができる。しかも、フィルタ材の枠体への取り付けおよび取り外しを簡単に行うことができる。
【００２５】
特に、支持部材を枠体に取り付けると、支持部材でフィルタ材の気体流入側面を支持することができるので、フィルタ材の垂みなどの変形を防止できる。従って、大型のフィルタ（例えば、６０ｃｍ×６０ｃｍ）でもその変形を防止してフィルタ材と枠体との間のシール性を確実に保つことができる。
【００２６】
【実施例】
以下、本発明を実施例に基づいて説明する。
【００２７】
ポリオレフィン系高分子繊維シートと、補強用繊維シートとを積層したシートを、山の高さが６０ｍｍ、幅５８８ｍｍ当りの山の数が１１２ケになるようにヒダ折り加工し、ヒダ形状を保形するため山の頂部を合成樹脂で線状に２．５ｃｍ間隔（帯片の長手方向の間隔）で接着固定し、シートの折り曲げ方向における両端部および中央部に幅１２ｍｍの溝部を設けた状態で、折り曲げ方向と直交する方向におけるフィルタ材の両端部に厚さ２５０μｍ  のポリエステルフィルムを接着シールし、さらに折り曲げ方向におけるフィルタ材の両端部に厚さ１．８ｍｍの厚紙を接着して、図２に示す５８８ｍｍ×５８８ｍｍの正方形状のフィルタ材１を作成した。
【００２８】
一方、厚さ１ｍｍの金属板を用いて図４および図５に示す６１０ｍｍ×６１０ｍｍの正方形の枠体２を作成した。
【００２９】
該枠体２は、高さｈ１が５８ｍｍのリブ２７を中央に、高さｈ２が２５ｍｍのリブ２２を両端部に有する枠片２０ａと、３ｍｍ径の金属棒４を嵌着するための係合凹所２６が形成された枠片２０ｂとを有する。
【００３０】
該フィルタ材１の両端部及び中央部の溝部１１に枠体２のリブ２２、２７を挿入せしめて枠体２にフィルタ材１を嵌着し、嵌着された状態で図６に示した形に加工した３ｍｍ径の金属棒（先に焼き入れした鉄製の棒）４の係合部４０ａ、４０ｂを枠体２の係合凹所２６に係合することにより、金属棒４でフィルタ材１の上部を支持して図１に示すフィルタを得た。
【００３１】
【発明の効果】
本発明によれば、フィルタ材の溝部内に枠体の保持部材が嵌合されるようフィルタ材が枠体に装着されるので、フィルタ材を確実に枠体に装着することができて振動等によってフィルタ材が脱落することがなく、シール性もよい。またフィルタ材を枠体から容易に取り外すことができるので、フィルタ材のみを交換することができで、フィルタを備えた空調装置の維持が安価に行える。
【００３２】
特に、フィルタ材が枠体に装着された際に、該フィルタ材の気体流入側面を支持する支持部材を枠体に取り付けて保持部材との間でフィルタ材を挟持するようにすると、通気面積の比較的大きいフィルタ材を枠体に取り付ける場合でもフィルタ材の変形および脱落を確実に防止してシール性を高めることができる。
【図面の簡単な説明】
【図１】本発明のフィルタの一実施例の一部切欠斜視図である。
【図２】図１に示したフィルタに使用されるフィルタ材の斜視図である。
【図３】図２のＩＩＩ−ＩＩＩ線に沿ったフィルタ材の断面図である。
【図４】図１に示したフィルタに使用される枠体の斜視図である。
【図５】図４に示した枠体の断面図である。
【図６】図１に示したフィルタに使用される支持部材の平面図である。
【符号の説明】
１    フィルタ材
２    枠体
４    支持部材
１１  溝部
１３  剛性部材
１４  シール部材
２７  保持部材
【図１】
0003546892.tif 000002
【図２】
0003546892.tif 000003
【図３】
0003546892.tif 000004
【図４】
0003546892.tif 000005
【図５】
0003546892.tif 000006
【図６】
0003546892.tif 000007